【事件の表示】
　平成１１年特許願第３３７３０５号「アドレス自動割当装置及び記録媒体」拒絶査定不服審判事件〔平成１３年　６月　８日出願公開、特開２００１−１５６８４６〕について、次のとおり審決する。
【結　論】
　本件審判の請求は、成り立たない。
【理　由】
１．手続の経緯 
　本件出願は、平成１１年１１月２９日の出願であって、当審において平成１９年７月５日付けで拒絶理由が通知され、同年９月１４日付けで意見書が提出されるとともに手続補正がなされたものである。 
　
　
２．本願発明 
　本件出願の請求項に係る発明は、平成１９年９月１４日付けで補正された明細書及び図面の記載からみて、その特許請求の範囲の請求項１〜２に記載されたとおりのものであるところ、上記補正書の請求項１の記載は次のとおりである。 
　「【請求項１】
　アドレスの自動割当手段を有するアドレス自動割当装置であって、
　前記自動割当手段は、ユーザ端末から送信されたユーザ端末に割り当てられているユーザ端末固有の情報を元に、該ユーザ端末固有の情報を含めて固有の電話又は電子メールのアドレスを設定することを特徴としたアドレス自動割当装置。」 
　
　
３．引用例に記載された発明 
　当審で通知した拒絶理由に引用した、特開平１０−２７１１１７号公報（以下、「引用例」という。）には、「端末識別番号付与方法およびサーバ装置」として、図面と共に次の記載がある。 
　 
イ．「【０００１】
【発明の属する技術分野】本発明は、ＬＡＮ(Local Area Network)内におけるリアルタイムデータ通信時において、接続相手端末を識別する方法と、端末の登録を自動的に行う方法と、該方法を実現するための装置とを含む端末識別番号付与方法およびサーバ装置に関するものである。
【０００２】
【従来の技術】イーサーネット（登録商標）等によるＬＡＮは、パケットデータによる通信を行うネットワークであるため、本来は、音声等のリアルタイムデータ通信には不向きなネットワークであった。しかし、近年、ＬＡＮ内で音声データパケットをリアルタイムにやり取りするインターネット電話という種類のアプリケーションが出始めている。
【０００３】イーサーネット等によるＬＡＮを構築する場合、ＴＣＰ／ＩＰプロトコルにより、ネットワークを構築することが一般的である。この時、ネットワークに接続された端末は、通常ＩＰアドレスという端末識別子を用いて、識別される。
【０００４】ＩＰアドレスは、１０進数で表した場合、ｘｘｘ．ｘｘｘ．ｘｘｘ．ｘｘｘという「．」で区切られた３桁の数字（ｘｘｘは０〜２５５）４つで表される。なお、３桁の数字ｘｘｘの先頭が「０」の場合には当該「０」を省略することがある。
【０００５】図１はＩＰアドレスを与えた例を示す。例えば端末Ａに対してＩＰアドレスとして「１２９．６０．１０．１０」を与えている。前述のインターネット電話で、接続相手を指定するためには、発呼時に、直接相手端末のＩＰアドレスを指定するか、相手の電子メールアドレスを指定するというのが、一般的な方法である。図２は電子メールアドレスの例を示す。
【０００６】
【発明が解決しようとする課題】しかし、接続相手先指定にＩＰアドレスを使用する場合、一般的なユーザにはなじみの薄いＩＰアドレスという最大１２桁の数字を覚え、これを入力する必要があり、マン・マシン・インタフェ−ス的に使いにくい、という問題点があった。
【０００７】また、ＩＰアドレスはシステム的に重要な数字であり、ネットワークの異なる外部に対しては、公表したくない数字であるが、接続相手先指定にＩＰアドレスを使用するにあたっては、これを外部に公表する必要性がある、という問題点があった。
【０００８】また、接続相手先指定を電子メールアドレスとした場合には、通常かなり長いアルファベットによるアドレスを入力する必要があることと、入力のためキーボードが必要なため、端末がパソコンに限られ、電話機やＦＡＸのような簡易な装置からでは入力できない、という問題点があった。
【０００９】これを解決するために、ＬＡＮ内の端末にＩＰアドレスとは別の電話番号的な独自の端末識別番号（ＬＡＮ電話番号）を与え、ＬＡＮ内のＬＡＮ電話番号サーバに該ＬＡＮ電話番号とＩＰアドレスとの対応機能を持たせることは有効と考えられる。
【００１０】図３はＬＡＮ電話番号サーバを含むシステムの構成例を示す。図中の符号５はクライアント端末、６はＬＡＮ電話番号サーバ、７は配下のクライアント端末管理番号情報（端末管理テーブル）を表す。ＬＡＮ電話番号を用いることにより、ユーザは電話番号的な覚えやすい数字（ＬＡＮ電話番号）のみを覚えていればよく、ＩＰアドレスを覚えておく必要はなくなり、インターネット電話の使いやすさが向上する。また、入力が数字のみであるため、電話機やＦＡＸといった一般電話網用の端末もインターネット電話システムに取り込むことが可能となり、電話機／ＦＡＸ等のアナログ電話網用の端末を接続するＩＦを持ち、該アナログ端末の信号をデータ通信用のパケット信号に変換しネットワークへ送信する機能を持つ端末接続装置（ＴＡ）をインターネット電話のクライアント端末として利用することも可能となる。」（３頁４欄〜４頁６欄） 
　
ロ．「【００１２】しかし、このＬＡＮ電話番号の登録には、システム管理者が、ＬＡＮ電話番号サーバに対し手動で登録作業を行う必要があり、また、端末側が装置やＩＰアドレスを変更する度にＬＡＮ電話番号サーバ側の設定を変更する必要がある等、メンテナンス性に問題があった。
【００１３】また、近年のＩＰアドレスの不足に対応するために、端末がシステム起動時にサーバにＩＰアドレスを要求し、自端末のＩＰアドレスをサーバから付与されたＩＰアドレスに設定する動的ＩＰアドレスに対応したシステムも増えつつある。なお、ここで、動的なＩＰアドレス取得の方法について説明しておく。
【００１４】図５に動的ＩＰアドレス取得の仕組みを示し、図６に動的ＩＰアドレス取得シーケンスの例を示す。
・・・（以下略）・・・」（４頁６欄） 
　
ハ．「【００１６】このように動的ＩＰアドレスに対応したクライアント端末は、毎回異なるＩＰアドレスを持つことになる。しかし、ＬＡＮ電話番号サーバがＬＡＮ電話番号とＩＰアドレスとを固定的に管理している場合には、あるＬＡＮ電話番号に異なるＩＰアドレスが登録される可能性があるため、同じユーザが固定的に同じＬＡＮ電話番号を使用することができない、という問題点があった。
【００１７】本発明は、上記の問題点を解決するために、ネットワーク内の端末が、ＬＡＮ電話番号サーバに対し、起動時に自動的にＩＰアドレスの登録を行い、システム終了時に自動的に登録を抹消することを可能とすることを目的としている。また、クライアント端末が動的ＩＰアドレスが付与されるものに対応していた場合であっても、当該ユーザに対して、常に同じＬＡＮ電話番号が付与されることを可能とすることを目的とする。
【００１８】
【課題を解決するための手段】本発明においては、ネットワーク内の端末（クライアント端末）に対し、ＩＰアドレスとは別の電話番号のような「数字による識別子（端末識別番号）」を設け、これを管理するためのＬＡＮ電話番号サーバがネットワーク内にあるものとする。また、ネットワーク内には、ＬＡＮ電話番号サーバは複数台存在すると考えられるので、ＬＡＮ電話番号サーバ自身を識別する、「数字による識別子（サーバ管理番号）」を設ける。前記図３はこの様子を示している。ここで、「サーバ管理番号＋端末管理番号」をＬＡＮ電話番号とする。
【００１９】ＬＡＮ電話番号サーバ６は、端末管理番号とこれに対応した端末のＩＰアドレスを記述する手段を持ち、端末管理番号による問合せに対し、該当する端末のＩＰアドレスを返す手段を持つ。該端末管理番号とこれに対応した端末のＩＰアドレスを記述する手段としては、図７に示すような端末管理テーブルを考慮することができる。」（５頁７欄） 
　
ニ．「【００２４】本発明では、インターネット電話をかけるクライアント端末としては、ネットワークＩＦを持ち、インターネット電話ソフトがインストールされたパソコンや、一般のアナログ電話機やＦＡＸ等をネットワークに接続する端末接続装置（ＴＡ）が考えられる。
【００２５】クライアント端末は、電源投入時またはシステム起動時に、ＬＡＮ電話番号サーバにＬＡＮ電話番号登録要求を送信する。また、クライアント端末が動的ＩＰアドレスに対応していた場合には、ＩＰアドレス付与サーバよりＩＰアドレスを取得した後にＬＡＮ電話番号登録要求パケットを送信する。
【００２６】図９はＬＡＮ電話番号登録シーケンスを示す。システム起動時にＩＰアドレスを取得するようにしている。図１０はＬＡＮ電話番号登録要求パケットの例を示す。」（５頁８欄〜６頁９欄） 
　
ホ．「【００２８】また、ＬＡＮ電話番号に自動登録する方法として、ネットワークカードのＭＡＣアドレスを利用することも可能である。ＭＡＣアドレスは、ネットワークカード等、ネットワークに接続するハードウェアに製造時に与えられる番号で、「００：Ａ０：２４：９７：３６：Ｆ２」のような「：」により区切られた１６進数による数字である。このうち上位の「００：Ａ０：２４」は製造メーカを示すコードで、下位の「９７：３６：Ｆ２」が各製造メーカがハード個別に与える製造番号であるため、同じ番号は存在しないこととなっている。クライアント端末が、ＬＡＮ電話番号サーバに送るＬＡＮ電話番号登録要求パケットとしては図１２に示す如きものを用い、また図１３はＬＡＮ電話番号サーバの端末管理テーブルを示す。図１３に示す端末管理テーブルによって、ＬＡＮ電話番号とＭＡＣアドレスとＩＰアドレスとの対応が分かるようになっているが、現在電源の入っていない端末のＩＰアドレスのフィールドは空欄となっている。ＬＡＮ電話番号サーバ６は、クライアント端末５から図１２に示すようなＬＡＮ電話番号登録パケットを受信すると、その中のＭＡＣアドレス値から、その端末の項目にＩＰアドレスを記入する。このようにすることで、常に同じＬＡＮ電話番号を使用したいユーザには、常に同じＬＡＮ電話番号を割り当てることが可能となる。また、動的ＩＰアドレスのクライアント端末のように、その都度自端末のＩＰアドレスが変わるクライアント端末に対しても、常に同じＬＡＮ電話番号を割り当てることが可能となる。」（６頁９欄〜１０欄） 
　 
　上記引用例の記載及び図面ならびにこの分野における技術常識を考慮すると、上記引用例のイには、
　「本発明は、ＬＡＮ(Local Area Network)内におけるリアルタイムデータ通信時において、接続相手端末を識別する方法と、端末の登録を自動的に行う方法と、該方法を実現するための装置とを含む端末識別番号付与方法およびサーバ装置に関する」（【０００１】）、
　「近年、ＬＡＮ内で音声データパケットをリアルタイムにやり取りするインターネット電話という種類のアプリケーションが出始めている。」（【０００２】）、
　「前述のインターネット電話で、接続相手を指定するためには、発呼時に、直接相手端末のＩＰアドレスを指定するか、相手の電子メールアドレスを指定するというのが、一般的な方法である。」（【０００５】）とあり、
　「【０００９】これを解決するために、ＬＡＮ内の端末にＩＰアドレスとは別の電話番号的な独自の端末識別番号（ＬＡＮ電話番号）を与え、ＬＡＮ内のＬＡＮ電話番号サーバに該ＬＡＮ電話番号とＩＰアドレスとの対応機能を持たせることは有効と考えられる。
【００１０】図３はＬＡＮ電話番号サーバを含むシステムの構成例を示す。図中の符号５はクライアント端末、６はＬＡＮ電話番号サーバ、７は配下のクライアント端末管理番号情報（端末管理テーブル）を表す。」とあって、
　また、上記引用例の上記ハには、
　「本発明においては、ネットワーク内の端末（クライアント端末）に対し、ＩＰアドレスとは別の電話番号のような「数字による識別子（端末識別番号）」を設け、これを管理するためのＬＡＮ電話番号サーバがネットワーク内にあるものとする。また、ネットワーク内には、ＬＡＮ電話番号サーバは複数台存在すると考えられるので、ＬＡＮ電話番号サーバ自身を識別する、「数字による識別子（サーバ管理番号）」を設ける。前記図３はこの様子を示している。ここで、「サーバ管理番号＋端末管理番号」をＬＡＮ電話番号とする。」（【００１８】）とあるから、
　上記引用例には、インターネット電話というアプリケーションを実行するクライアント端末に、これを識別する「ＬＡＮ電話番号」が与えられていること、およびこの「ＬＡＮ電話番号」を管理するための「ＬＡＮ電話番号サーバ」が記載されており、当該「ＬＡＮ電話番号サーバ」は、「ＬＡＮ電話番号」管理のための「管理手段」（「端末管理テーブル７」を含む）を有すると認められるので、「ＬＡＮ電話番号の管理手段を有するＬＡＮ電話番号サーバ」が記載されているということができる。
　
　また、このＬＡＮ電話番号の管理に関して、上記引用例のニには、
　 「【００２５】クライアント端末は、電源投入時またはシステム起動時に、ＬＡＮ電話番号サーバにＬＡＮ電話番号登録要求を送信する。」とあり、
　更に、上記引用例のホには、
　「【００２８】また、ＬＡＮ電話番号に自動登録する方法として、ネットワークカードのＭＡＣアドレスを利用することも可能である。ＭＡＣアドレスは、ネットワークカード等、ネットワークに接続するハードウェアに製造時に与えられる番号で、・・・（中略）・・・同じ番号は存在しないこととなっている。クライアント端末が、ＬＡＮ電話番号サーバに送るＬＡＮ電話番号登録要求パケットとしては図１２に示す如きものを用い、・・・（中略）・・・ＬＡＮ電話番号サーバ６は、クライアント端末５から図１２に示すようなＬＡＮ電話番号登録パケットを受信すると、その中のＭＡＣアドレス値から、その端末の項目にＩＰアドレスを記入する。このようにすることで、常に同じＬＡＮ電話番号を使用したいユーザには、常に同じＬＡＮ電話番号を割り当てることが可能となる。」とあって、
　図１２も参照すれば、ＬＡＮ電話番号サーバにクライアント端末から送信される「ＬＡＮ電話番号登録要求パケット」には、クライアント端末のネットワークカードの製造時に与えられた「ＭＡＣアドレス」が含まれていることを読み取ることができ、
　この「ＭＡＣアドレス」は、「ネットワークに接続するハードウェアに製造時に与えられる番号」であるから、ネットワークカードの装着されたクライアント端末に「割り当てられた」と言えるものであって、「同じ番号は存在しない」のであるから、クライアント端末に「固有の」ものということができ、
　このパケットを受信したＬＡＮ電話番号サーバは、この「ＭＡＣアドレス値から」、「常に同じＬＡＮ電話番号を割り当てる」のであるから、「ＭＡＣアドレスを元に、固有のＬＡＮ電話番号を割り当てるＬＡＮ電話番号サーバ」ということができるから、
　上記引用例には、 「クライアント端末から送信されたクライアント端末に割り当てられているクライアント端末固有のＭＡＣアドレスを元に、固有のＬＡＮ電話番号を割り当てるＬＡＮ電話番号サーバ」が記載されているということができる。
　
　これらをまとめると、上記引用例には、 
「ＬＡＮ電話番号の管理手段を有するＬＡＮ電話番号サーバであって、
前記管理手段は、クライアント端末から送信されたクライアント端末に割り当てられているクライアント端末固有のＭＡＣアドレスを元に、固有のＬＡＮ電話番号を割り当てるＬＡＮ電話番号サーバ」
の発明（以下、「引用発明」という。）が記載されている。 
　
　
４．対比・判断 
（１）請求項１に係る発明について 
　本件出願の請求項１に係る発明（以下、「本願発明」という。）と引用発明とを対比する。
　引用発明の「ＬＡＮ電話番号」とは、例えば引用例イ【００１０】の記載によれば、インターネット電話のユーザが通話相手先のクライアント端末を指定する際に用いるのであるから、電話のアドレス（宛名）であり、
　引用発明の「ＬＡＮ電話番号サーバ」は、前記の「アドレス」である「ＬＡＮ電話番号」を管理するに際して、「ＬＡＮ電話番号に自動登録する」ものであって、「ＬＡＮ電話番号を割り当てる」（【００２８】）ものであるから、アドレス自動割当装置であり、
　「ＬＡＮ電話番号の管理手段」は、その管理の内容が、上記のような「自動登録」、「割り当て」であるから、アドレスの自動割当手段であり、
　引用発明の「クライアント端末」はインターネット電話のユーザが使用するものであるから、ユーザ端末ということができ、
　引用発明の「クライアント端末固有のＭＡＣアドレス」は、「ＭＡＣアドレス」が一つの「情報」であることは明らかであるので、ユーザ端末固有の情報であり、
　引用発明の「ＬＡＮ電話番号を割り当てる」点も、上記のように「ＬＡＮ電話番号」が「電話のアドレス」と言えるものであり、「割り当てる」とは「設定する」ことであるので、電話のアドレスを設定しているということができる。
　
　したがって両者は、
「　アドレスの自動割当手段を有するアドレス自動割当装置であって、
　前記自動割当手段は、ユーザ端末から送信されたユーザ端末に割り当てられているユーザ端末固有の情報を元に、固有の電話又は電子メールのアドレスを設定するアドレス自動割当装置。」 である点で一致し、次の点で相違する。 
　
（ア）本願発明では、電話又は電子メールのアドレスを設定するのに際して「ユーザ端末固有の情報を含めて」設定するのに対し、引用発明では、その点がない点。 
　 
　上記相違点（ア）について検討する。 
　一般に、電話や電子メールに限らず、対象物の識別、特定のための宛名としてのアドレスに、識別性を高めるため、そのもの自身の固有の情報を含めることは、そのものの固有の性質、特質、属性にちなんだ名前を付けるのと同様のことであって、周知の慣用手段と認められ、当審の拒絶理由の引用例に挙げた、
　特開平１０−１９８６１３号公報
（図２参照、ユーザ固有の情報である「アカウント１１」が電子メールアドレスに「含まれて」いる）、
　Request for Comments: 2374「An IPv6 Aggregatable Global Unicast Address Format」July 1998
（３．１及び３．６参照、３．１の図にはネットワークノード固有の情報である「Interface ID」がＩＰｖ６アドレスに「含まれて」いることが示されており、３．６には、この「Interface ID」に「IEEE 48bit MAC」が適用可能なことが記載されている）
にもあるように、通信技術の分野においても広く行われていることと認められる。
　したがって、相違点（ア）に係る本願発明の構成を得ることは、当業者が容易になし得ることである。 
　また、本願発明の効果も引用発明から当業者が予測し得る範囲のものである。
　 
　 
５．むすび 
　以上のとおり、本願発明は、引用発明に基づいて当業者が容易に発明をすることができたものであるから、特許法第２９条第２項の規定により特許を受けることができない。 
　 
　よって、結論のとおり審決する。